(57)【特許請求の範囲】
【請求項１】
底部側壁２に段部２ａを設けた電子レンジ調理用容器を収容する電子レンジ調理用箱の開口部に、該箱の底板部１２に連設して開口部の高さ以下の内蓋片部１３を設けると共に、該内蓋片部１３を覆う外蓋片部を前記電子レンジ調理用箱の天板部に連設して設けた電子レンジ調理用箱において、前記内蓋片部１３の縁部に、該内蓋片部１３を前記底板部１２に密着する方向に開口部内側に折り込んだ状態で前記箱内に収容した電子レンジ調理用容器の開口部側の底部側壁２に設けた前記段部２ａに係合するストッパ縁部２０を設けてなる電子レンジ調理用箱。
【請求項２】
請求項１に記載の電子レンジ調理用箱において、前記内蓋片部１３の縁部に設けたストッパ縁部２０が、内蓋片部１３の高さｈの半分以下の高さに設けた段部２ａに係合する電子レンジ調理用箱。
【請求項３】
請求項１又は２に記載の電子レンジ調理用箱において、内蓋片部１３にストッパ片部２４を凸設し、ストッパ片部２４の先端部に内蓋片部１３を底板部１２に密着する方向に開口部内側に折り込んだ状態で前記箱内に収容した電子レンジ調理用容器の段部２ａに当接可能なストッパ縁部２０を設けてなる電子レンジ調理用箱。
【請求項４】
請求項１、２又は３に記載の電子レンジ調理用箱において、内蓋片部１３の先端部に、該内蓋片部１３を前記底板部１２に密着する方向に開口部内側に折り込んだ状態で前記箱内に収容した電子レンジ調理用容器の開口部側の底部側壁２に当接しない凹陥部を設け、該凹陥部に突出する複数個のストッパ片部２４を設け、ストッパ片部２４の先端部に電子レンジ調理用容器の開口部側の底部側壁の段部２ａに当接するストッパ縁部２０を設けてなる電子レンジ調理用箱。
【請求項５】
請求項１乃至４のいずれかに記載の電子レンジ調理用箱において、電子レンジ調理用容器を収容した状態で内蓋片部の一部に外蓋片部の一部が密着して開口部を閉鎖するように構成すると共に、外蓋片部に天板部との境界から先端部に向かって先細りの切開片部を設け、切開片部を切り開いて開口部を開口可能に設けた電子レンジ調理用箱。
【請求項６】
請求項１乃至５のいずれかに記載の電子レンジ調理用箱において、外蓋片部と天板部の境界から天板部に天板切開片部を設けてなる電子レンジ調理用箱。
【請求項７】
請求項１乃至６のいずれかに記載の電子レンジ調理用箱において、電子レンジ調理用箱が正方形を含む直方体からなり、直方体の一壁に前記開口部を設けてなる電子レンジ調理用箱。
【請求項８】
請求項１乃至７のいずれかに記載の電子レンジ調理用箱において、内蓋片部の側片部に掛け欠き部を設け、側壁片部に重なるように折り込んだ前部側片部の縁辺部が前記掛け欠き部に引き掛かることにより、容器底部側壁当接する内蓋片部の折り畳み角度を維持するようにした電子レンジ調理用箱。
【請求項９】
請求項１乃至７のいずれかに記載の電子レンジ調理用箱内に、電子レンジ調理用容器を収容してなる電子レンジ調理用食品。
【請求項１０】
請求項１乃至９のいずれかに記載の電子レンジ調理用箱の開口部を開口し、収容した電子レンジ調理用容器の蓋を開口し、開口した電子レンジ調理用容器を収容した前記電子レンジ調理用箱を開口したまま電子レンジ内において加熱するようにした電子レンジ調理用食品。
【発明の詳細な説明】
【技術分野】
【０００１】
本発明は電子レンジ調理用箱及びその箱内に電子レンジ調理用容器などを収容してなる電子レンジ調理用食品に関する。
【背景技術】
【０００２】
特許文献１又は２に記載のように、従来、電子レンジ調理用箱内に、電子レンジ調理用食品を密封して収容した容器を収納して販売し、その需要者は箱から容器を一旦外に取り出して破裂しないように封を開いて再度箱内に容器を入れ、電子レンジで加熱した後、あまり加熱されていない箱ごと取り出して、容器を安全に電子レンジで加熱し取り出すようにした電子レンジ調理用箱及びその箱内に電子レンジ調理用容器などを収容してなる電子レンジ調理用食品は知られている。
【先行技術文献】
【特許文献】
【０００３】
【特許文献１】特開２０１１−６１０８号公報
【特許文献２】特開２００４−２５６１７０号公報
【発明の概要】
【発明が解決しようとする課題】
【０００４】
特許文献1の電子レンジ調理用箱は、底板と天板と一対の側板とで角筒状の胴部が形成され、その胴部の後部が閉じられて閉鎖部が形成された状態で、胴部に椀状容器を収納するようになっている。その椀状容器は開口縁部に張り出したフランジが設けてあり、フランジ部分に蓋材をヒートシールなどにより閉じたものである。前記箱の底板は天板より前方に突き出るサイズに設けてあり、底板が前方に広いだけ収容してある椀状容器は前方に滑り出やすい課題がある。
【０００５】
そのため、底板の前方に連接されて折り返される押さえ板はその先端縁が収納した椀状容器の上部開口縁部の前記フランジ部分に係合してその飛出しを防止する構成である。その関係でこの押え板は、底板先端部から天板先端部付近まで傾斜して伸びているから、相当の長さが必要で、尚且つ、折れ曲がらないだけの強度がないと椀状容器の飛び出しを押さえられない。
【０００６】
また、押さえ板が強固な場合には、押さえ板をフランジから取り外して椀状容器を箱から取り出すのが難しくなる課題がある。その結果、販売時の押さえ板は椀状容器のフランジ部に係合しないように椀状容器の下側に底板に敷いた状態で収容するか、椀状容器の蓋材の上側に天板に接するように収容しなければならないから、箱内に電子レンジ調理用容器などを収容してなる電子レンジ調理用食品を購入した需用者が椀状容器を取り出すときと再度収容するときに、押さえ板が邪魔になる課題がある。同時にまた、天板の前方には折り返された押え板を跨いだ状態で先端が底板に係止可能となったカバー板が長大になる課題がある。
また、特許文献２では、底板が２段になっていて上段の底板に容器を嵌合する孔が設けてあり、長大な天板を大きく開かなければ容器の出し入れができない課題があった。
【課題を解決するための手段】
【０００７】
そこで、本発明は、特許請求の範囲の請求項１に記載のように、電子レンジ調理用容器を収容する電子レンジ調理用箱の開口部に、該箱の底板部に連設して高さが開口部の高さ以下の内蓋片部を設けると共に、該内蓋片部を覆う外蓋片部を前記電子レンジ調理用箱の天板部に連設して設けた電子レンジ調理用箱において、前記内蓋片部の一部に、該内蓋片部を前記底板部に密着する方向に開口部内側に折り込んだ状態で前記箱内に収容した電子レンジ調理用容器の開口部側の底部側壁に当接可能なストッパ縁部を設けてなる電子レンジ調理用箱を提供するものである。
【０００８】
また、請求項２に記載のように、請求項１に記載の電子レンジ調理用箱において、前記ストッパ縁部として、内蓋片部を底板部に密着する方向に開口部内側に折り込んだ状態で前記箱内に収容した電子レンジ調理用容器の開口部側の底部側壁に当接可能なストッパ片部を設けてなる電子レンジ調理用箱を提供するものである。
【０００９】
また、請求項３に記載のように、請求項１又は２に記載の電子レンジ調理用箱において、開口部に連設した底板部、天板部、内蓋片部及び外蓋片部が紙製からなる電子レンジ調理用箱を提供するものである。
【００１０】
また、請求項４に記載のように、請求項１、２又は３に記載の電子レンジ調理用箱において、内蓋片部の先端部に、該内蓋片部を前記底板部に密着する方向に開口部内側に折り込んだ状態で前記箱内に収容した電子レンジ調理用容器の開口部側の底部側壁に当接しない凹陥部と、該凹陥部から突出して電子レンジ調理用容器の開口部側の底部側壁に当接するストッパ縁部を設けてなる電子レンジ調理用箱を提供するものである。
【００１１】
また、請求項５に記載のように、請求項１乃至４のいずれかに記載の電子レンジ調理用箱において、電子レンジ調理用容器を収容した状態で内蓋片部の一部に外蓋片部の一部が密着して開口部を閉鎖するように構成すると共に、外蓋片部に天板部との境界から先端部に向かって先細りの切開片部を設け、切開片部を切り開いて開口部を開口可能に設けた電子レンジ調理用箱を提供するものである。
【００１２】
また、請求項６に記載のように、請求項１乃至５のいずれかに記載の電子レンジ調理用箱において、外蓋片部と天板部の境界から天板部に天板切開片部を設け、開口部を実質的に拡大するように構成した電子レンジ調理用箱を提供するものである。
【００１３】
また、請求項７に記載のように、請求項１乃至６のいずれかに記載の電子レンジ調理用箱において、電子レンジ調理用箱が正方形を含む直方体からなり、直方体の一壁に前記開口部を設けてなる電子レンジ調理用箱を提供するものである。
【００１４】
また、請求項８に記載のように、請求項１乃至７のいずれかに記載の電子レンジ調理用箱において、内蓋片部の側片部に掛け欠き部を設け、側壁片部に重なるように折り込んだ前部側片部の縁辺部が前記掛け欠き部に引き掛かることにより、容器底部側壁当接する内蓋片部の折り畳み角度を維持するようにした電子レンジ調理用箱を提供するものである。
【００１５】
また、請求項９に記載のように、請求項１乃至８のいずれかに記載の電子レンジ調理用箱内に、電子レンジ調理用容器を収容してなる電子レンジ調理用食品を提供するものである。
【００１６】
また、請求項１０に記載のように、請求項１乃至９のいずれかに記載の電子レンジ調理用箱の開口部を開口し、収容した電子レンジ調理用容器の蓋を開口し、開口した電子レンジ調理用容器を収容した前記電子レンジ調理用箱を開口したまま電子レンジ内において加熱するようにした電子レンジ調理用食品を提供するものである。
【発明の効果】
【００１７】
本発明に係る電子レンジ調理用箱によれば、特許請求の範囲の請求項１に記載のように、電子レンジ調理用容器を収容する電子レンジ調理用箱の開口部に、該箱の底板部に連設して高さが開口部の高さ以下の内蓋片部を設けると共に、該内蓋片部を覆う外蓋片部を前記電子レンジ調理用箱の天板部に連設して設けた電子レンジ調理用箱において、前記内蓋片部の一部に、該内蓋片部を前記底板部に密着する方向に開口部内側に折り込んだ状態で前記箱内に収容した電子レンジ調理用容器の開口部側の底部側壁に当接可能なストッパ縁部を設けてなる構成を有することにより、箱内に容器を収容して底板部に連設した高さが開口部の高さ以下の内蓋片部を底板部に密着する方向に開口部内側に折り込むと、内蓋片部に設けたストッパ縁部が箱内に収容した電子レンジ調理用容器の開口部側の底部側壁に当接し、容器の飛び出しを阻止することができる効果があると共に、高さが開口部の高さ以下の内蓋片部を開口部の内側にも外側にも容易に折曲することができるから、電子レンジ調理用食品を購入した需用者が椀状容器を取り出すとき、或いは再度収容するときに、外側に開けばそのまま容器を出し入れできるのは勿論であるが、内蓋片部を底板部に密着する方向に折り畳んだとしてもストッパ縁部が容器の底部側に潜り込み、その上を滑らせて容器を容易に出し入れすることができる効果がある。そして、底板部に連設して設けた内蓋片部はストッパ縁部を含めて高さが開口部の高さ以下であるから、箱の奥行きや開口部及び外蓋片部のサイズを小さくすることができる効果がある。
【００１８】
また、本発明に係る電子レンジ調理用箱によれば、請求項２に記載のように、請求項１に記載の電子レンジ調理用箱において、前記ストッパ縁部として、内蓋片部を底板部に密着する方向に開口部内側に折り込んだ状態で前記箱内に収容した電子レンジ調理用容器の開口部側の底部側壁に当接可能なストッパ片部を設けてなる構成を有することにより、ストッパ縁部からストッパ片部が立ち上がった状態で容器の開口部側の底部側壁に当接可能となり、容器の飛び出しをより強固に阻止することができる効果があると共に、容器を前記箱内から取り出すときにストッパ片部を引き上げることで、容器の固定を容易に解除することができる効果がある。
【００１９】
また、本発明に係る電子レンジ調理用箱によれば、請求項３に記載のように、請求項１又は２に記載の電子レンジ調理用箱において、開口部に連設した底板部、天板部、内蓋片部及び外蓋片部が紙製からなる構成を有することにより、平面的な板状紙片から組み立てて容易に製作することができる効果がある。
【００２０】
また、本発明に係る電子レンジ調理用箱によれば、請求項４に記載のように、請求項１、２又は３に記載の電子レンジ調理用箱において、内蓋片部の先端部に、該内蓋片部を前記底板部に密着する方向に開口部内側に折り込んだ状態で前記箱内に収容した電子レンジ調理用容器の開口部側の底部側壁に当接しない凹陥部と、該凹陥部から突出して電子レンジ調理用容器の開口部側の底部側壁に当接するストッパ縁部を設けてなる構成を有することにより、凹陥部によって容器の開口部側の底部側壁に２点又は３点保持など部分的に当接して容器を安定させるストッパ縁部を有効に設けることができる効果がある。
【００２１】
また、本発明に係る電子レンジ調理用箱によれば、請求項５に記載のように、請求項１乃至４のいずれかに記載の電子レンジ調理用箱において、電子レンジ調理用容器を収容した状態で内蓋片部の一部に外蓋片部の一部が密着して開口部を閉鎖するように構成すると共に、外蓋片部に天板部との境界から先端部に向かって先細りの切開片部を設け、切開片部を切り開いて開口部を開口可能に設けた構成を有することにより、外蓋片部を天板部との境界から先端部に向かって先細りの切開片部を切り開いて開口部を容易に開口することができる効果がある。
【００２２】
また、本発明に係る電子レンジ調理用箱によれば、請求項６に記載のように、請求項１乃至５のいずれかに記載の電子レンジ調理用箱において、外蓋片部と天板部の境界から天板部に天板切開片部を設けてなる構成を有することにより、外蓋片部と共に天板切開片部を切り開いて開口部を天板部まで実質的に拡大することができる効果がある。
【００２３】
また、本発明に係る電子レンジ調理用箱によれば、請求項７に記載のように、請求項１乃至６のいずれかに記載の電子レンジ調理用箱において、電子レンジ調理用箱が正方形を含む直方体からなり、直方体の一壁に前記開口部を設けてなる構成を有することにより、電子レンジ調理用箱を容器を出し入れしやすい直方体にすることができると共に、平面的な板状紙片から組み立てて容易に製作することができる効果がある。
【００２４】
また、本発明に係る電子レンジ調理用箱によれば、請求項１乃至７のいずれかに記載の電子レンジ調理用箱において、内蓋片部の側片部に掛け欠き部を設け、側壁片部に重なるように折り込んだ前部側片部の縁辺部が前記掛け欠き部に引き掛かることにより、容器底部側壁に当接する内蓋片部の折り畳み角度を維持するようにしたから、容器の飛び出しをより強固に阻止することができる効果がある。
【００２５】
また、本発明によれば、請求項９に記載のように、請求項１乃至８のいずれかに記載の電子レンジ調理用箱内に、電子レンジ調理用容器を収容して、電子レンジによる加熱された容器の熱さを直接に感じることなく箱ごと電子レンジから取り出すことができる電子レンジ調理用食品を提供する効果がある。
【００２６】
また、本発明によれば、請求項１０に記載のように、請求項１乃至９のいずれかに記載の電子レンジ調理用箱の開口部を開口し、収容した電子レンジ調理用容器の蓋を開口し、開口した電子レンジ調理用容器を収容した前記電子レンジ調理用箱を開口したまま電子レンジ内において加熱するようにし、加熱調理による吹きこぼれ等を生じたときでも、箱ごと容器を電子レンジから安全に取り出すことができる電子レンジ調理用食品を提供する効果がある。
【図面の簡単な説明】
【００２７】
【図１】本発明に係る電子レンジ調理用箱の一実施例を示す斜視図。
【図２】本発明に係る電子レンジ調理用箱に収容する容器の一実施例を示す斜視図。
【図３】本発明に係る電子レンジ調理用箱の一実施例の使用態様を示す斜視図。
【図４】本発明に係る電子レンジ調理用箱の一要部の他の実施例を示す説明図。
【図５】本発明に係る電子レンジ調理用箱の一要部の他の実施例を示す説明図。
【図６】本発明に係る電子レンジ調理用箱の他の実施例を示す斜視図。
【図７】本発明に係る電子レンジ調理用箱の他の実施例の使用態様を示す斜視図。
【図８】本発明に係る電子レンジ調理用箱の他の実施例を示す斜視図。
【図９】本発明に係る電子レンジ調理用箱の他の実施例の使用態様を示す斜視図。
【図１０】本発明に係る電子レンジ調理用箱の一要部の他の実施例を示す説明図。
【図１１】本発明に係る電子レンジ調理用箱の他の実施例の展開図。
【図１２】本発明に係る電子レンジ調理用箱の他の実施例の使用態様を示す斜視図。
【図１３】本発明に係る電子レンジ調理用箱の一要部の他の実施例を示す説明図。
【発明を実施するための形態】
【００２８】
次に、本発明の実施の形態について図面を参照しながら詳細に説明する。
【実施例１】
【００２９】
本発明に係る電子レンジ調理用箱には、図１及び図２に記載のように、電子レンジ調理用の容器１を収容する電子レンジ調理用の箱本体１０の開口部１１に、該箱本体１０の底板部１２に連設して高さｈが開口部１１の高さＨ以下の内蓋片部１３を設けると共に、該内蓋片部１３を覆う外蓋片部１４を前記電子レンジ調理用の箱本体１０の天板部１５に連設してある。前記内蓋片部１３の一部には、図３に記載のように、内蓋片部１３を前記底板部１２に密着する方向に開口部１１内側に折り込んだ状態で、前記箱本体１０内に収容した電子レンジ調理用容器１の開口部１１側の底部側壁２に当接可能なストッパ縁部２０を設けてある。
【００３０】
このことにより、箱本体１０内に容器１を収容して底板部１２に連設した高さｈが開口部１１の高さＨ以下の内蓋片部１３を底板部１２に密着する方向に開口部１１内側に折り込むと、内蓋片部１３に設けたストッパ縁部２０が箱本体１０内に収容した電子レンジ調理用容器１の開口部１１側の底部側壁２に当接し、容器１の飛び出しを阻止することができる。
【００３１】
また、内蓋片部１３の高さｈが開口部１１の高さＨ以下であるから、内蓋片部１３の先端が開口部１１の上縁部に当たらないから、開口部１１の内側にも外側にも容易に折曲することができることとなり、本考案に係る電子レンジ調理用食品を購入した需用者が容器１を取り出すとき、或いは取り出した容器１を再度収容するときに、内蓋片部１３を外側に開けばそのまま容器１を出し入れできるのは勿論であるが、内蓋片部１３を底板部１２に密着する方向に折り畳んだ場合でも、ストッパ縁部２０が容器１の底部側に潜り込み、その上を滑らせて容器１を容易に出し入れすることができる。そして、容器１を箱本体１０内に収容した状態で折り畳んである内蓋片部１３を起立方向に起こすとストッパ縁部２０が容器１の底部から上側に抜け出るから、そのまま容器１の開口部１１側の底部側壁２に当接してストッパ機能を果たすこととなる。
【００３２】
また、前記のように、内蓋片部１３を底板部１２に密着する方向に折り畳んだ場合、底板部１２に連設して設けた内蓋片部１３はストッパ縁部２０を含めて高さｈが開口部１１の高さＨ以下であるから、箱本体１０の奥行きや開口部１１及び外蓋片部１４のサイズをそれだけ小さくすることができる。
【実施例２】
【００３３】
ストッパ縁部２０は、上記図示の実施例の場合、内蓋片部１３を折り込んだ状態で容器１の底部側壁２に当接するように、容器１の開口部１１側の底部側壁２に沿って凹陥した凹陥部２１内に設けてあり、図１及び図３に記載のように、凹陥部２１の縁部の大部分に全体的に設けてあっても良いが、図４に記載のように、凹陥部２１の一部に設けてあっても良い。
【実施例３】
【００３４】
また、図４又は図５に記載のように、ストッパ縁部２０には、底部側壁２に湾曲又は折曲して弾性的に当接可能なように、切込２２
や切欠２３を設けることができる。
【実施例４】
【００３５】
また、図６又は図７に記載のように、前記ストッパ縁部２０を有する内蓋片部１３に、内蓋片部１３を底板部１２に密着する方向に開口部１１内側に折り込んだ状態で前記箱本体１０内に収容した容器１の開口部１１側の底部側壁２の段部２ａに当接可能なストッパ片部２４を設けてなる構成にすることができる。この図示の実施例の場合、ストッパ片部２４の先端部にストッパ縁部２０が設けられた構成になり、内蓋片部１３と共に折り込んだストッパ片部２４の先端部がストッパ縁部２０として容器１の開口部１１側の底部側壁２の段部２ａに当接することとなり、容器１の飛び出しを阻止することができる。
【実施例５】
【００３６】
図８及び図９に記載の実施例の場合、ストッパ縁部２０は、内蓋片部１３を折り込んだ状態で容器１の開口部１１側の底部側壁２に沿って凹陥した凹陥部２１内に凸設したストッパ片部２４に設けてある。
【実施例６】
【００３７】
また、図１０に記載のように、凹陥部２１内に２個以上のストッパ片部２４を設けることができる。また、図５に記載のように、複数個の切欠２３によって、凹陥部２１内に複数個のストッパ片部２４を設けることができる。このように図１０の複数個のストッパ片部２４、又は、図５の複数個のストッパ片部２４によって、内蓋片部１３を折り込んだ状態で容器１の開口部１１側の底部側壁２に当接して、容器１を安定して支持することができる。
【実施例７】
【００３８】
また、図２に記載の容器１において、底部側壁２は容器側壁３から段部２ａを境にその下側に段差を成形して設けてあり、ストッパ縁部２０が段部２ａの下側に確実に係合するように構成してある。なお、段部２ａは図２の実施例の場合は円形容器の外周の全体に渡って設けて、容器１の開口部１１側を自由に設定できるように構成してあるが、容器１が角形容器である場合などには、開口部１１側と定められた容器側壁３に段部２ａを境に底部側壁２を設けることができる。段部２ａの高さは内蓋片部１３の高さｈ以下であることは勿論であるが、内蓋片部１３の高さｈの半分以下が好ましい。
【実施例８】
【００３９】
また、図２に記載の容器１において、段部２ａは本考案の容器１の底部側壁２に必須の構成要件ではなく、段部２ａが明確に存在しない容器１においては底部側壁２は容器１の底部から連続する容器側壁３と同一部分となる。底部側壁２部分の高さは容器側壁３の底部から天板部付近までの容器側壁３の高さであって、背の高い容器１にあっては容器側壁３の高さの略４分の３以下、或いは、半分以下であることが好ましい。
【実施例９】
【００４０】
また、図１１は、図８及び図９の直方体形状の箱本体１０の展開図で、紙製の包装容器として知られている板状の紙製品からなり、１６ａ、１６ｂは左右の側壁片部で、底板部１２の折り曲げ線１２ａ、１２ｂ、１２ｃ、１２ｄ及び天板部１５の折り曲げ線１５ａ、１５ｂ、１５ｃ、１５ｄを略直角に折り曲げて、糊代１２ｅを側壁片部１６ｂに貼着し、側壁片部１６ａ，１６ｂの後部壁側片部１９を内側に折り込んで、底板部１２の後部壁部１８ａに天板部１５の後部側壁１８ｂを重ねて貼着して開口部を残して箱本体１０が組み立てられる。
【００４１】
組み上がった箱本体１０に、開口部１１から容器１と必要ならば具材収容袋等を収容し、側壁片部１６ａ，１６ｂの前部側片部１７を内側に折り込んで、底板部１２の内蓋片部１３に天板部１５の外蓋片部１４を重ね合わせて、内蓋片部１３のストッパ縁部２０やストッパ片部２４を避けて後部側壁１８ｂを重ねて要部を貼着して開口部１１を閉鎖して、本考案に係る電子レンジ調理用箱本体１０内に、電子レンジ調理用容器１や電子レンジ調理用具材包装袋を収容してなる電子レンジ調理用食品が完成する。
【実施例１０】
【００４２】
箱本体１の開口部１１を開くには、外蓋片部１４を内蓋片部１３から貼着部を剥がすことによって行うことができるが、図１１の実施例では、外蓋片部１４に天板部１５との境界１５ｃから先端部に向かって先細りの切開線１４ａによって外蓋切開片部１４ｂを設け、切開片部１４ｂを切り開いて内蓋片部１３から切り離し、開口部１１を開口可能に設けた構成にしてある。これによって、外蓋片部１４を天板部１５との境界１５ｃから先端部に向かって先細りの切開片部１４ｂを切り開いて開口部１１を容易に開口することができる。
【実施例１１】
【００４３】
更に、外蓋片部１４と天板部１５の境界１５ｃから天板部１５に前記切開線１４ａに連続して切開線１５ｅによって天板切開片部１５ｆを設け、外蓋片部１４或いは外蓋切開片部１４ａと共に天板切開片部１５ｆを切り開いて開口部１１を天板部１５まで実質的に拡大して開口することができる。１５ｇは天板部１５に設けた天板切開片部１５ｆの折り曲げ線である。
【実施例１２】
【００４４】
また、図１３に記載のように、内蓋片部１３の側片部１３ａに掛け欠き部２６を設けて、図１２に記載のように、側壁片部１６ａ，１６ｂに重なるように折り込んだ前部側片部１７の縁辺部が掛け欠き部２６に引き掛かることにより、容器１の底部側壁２に当接する内蓋片部１３の折り畳み角度を維持し、ストッパ縁部２０やストッパ片部のストッパ機能を増大するように構成することができる。
【実施例１３】
【００４５】
また、図９に記載のように、図８の箱本体１０内に蓋を開いた容器１を収容し、内蓋片部１３を折り込んで容器１の底部側壁２をストッパ縁部２０とストッパ片部２４で固定することができるから、電子レンジによる加熱調理中に吹きこぼれ等が生じていたとしても、加熱調理後に容器１を箱本体ごと電子レンジから容易に安全に取り出すことができる。
【符号の説明】
【００４６】
１        容器
２        底部側壁
３        容器側壁
１０      箱本体
１１      開口部
１２      底板部
１３      内蓋片部
１４      外蓋片部
１４ａ    外蓋切開片部
１５      天板部
１５ｆ    天板切開片部
１６ａ，１６ｂ  側壁片部
１７      前部側片部
１８ａ，１８ｂ      後部壁部
２０      ストッパ縁部
２１      凹陥部
２２      切込
２３      切欠
２４      ストッパ片部
２５      折曲線
２６      掛け欠き部
【図１】
0006054641.tif 000002
【図２】
0006054641.tif 000003
【図３】
0006054641.tif 000004
【図４】
0006054641.tif 000005
【図５】
0006054641.tif 000006
【図６】
0006054641.tif 000007
【図７】
0006054641.tif 000008
【図８】
0006054641.tif 000009
【図９】
0006054641.tif 000010
【図１０】
0006054641.tif 000011
【図１１】
0006054641.tif 000012
【図１２】
0006054641.tif 000013
【図１３】
0006054641.tif 000014